(57)【要約】【課題】  話題が発生している期間を限定した関連文書を表示する。【解決手段】  本発明は、外部から作成時刻情報を含む文書群が入力されると、該文書群を解析して、該文書群中で話題となっている話題語句と、該話題語句の文書群中の出現頻度の時間的な変化である語句話題度、及び該話題語句を含む関連文書情報からなる話題語句情報を取得し、話題語句情報を時間軸に沿って整理し、話題となっている話題語句と該話題語句が話題になっていた期間と該話題語句に関連する関連文書情報とから構成される話題情報を算出し、話題情報群を用いて、閲覧対象として入力された閲覧文書情報が含んでいる話題語句を第２の記憶手段から抽出し、該話題語句に関連する文書情報を、該閲覧文書情報に付与して表示する。【選択図】  図１
2006302024.tif 000002
【特許請求の範囲】
【請求項１】
閲覧対象となる文書情報を入力とし、該文書情報を解析することにより、該文書情報に含まれる話題に関連する文書を表示する関連文書表示方法であって、
外部から作成時刻情報を含む文書群が入力されると、該文書群を解析して、該文書群中で話題となっている話題語句と、該話題語句の文書群中の出現頻度の時間的な変化である語句話題度、及び該話題語句を含む関連文書情報からなる話題語句情報を取得し、第１の記憶手段に格納する話題抽出ステップと、
前記話題抽出ステップで得られた前記話題語句情報を時間軸に沿って整理し、話題となっている話題語句と該話題語句が話題になっていた期間と該話題語句に関連する関連文書情報とから構成される話題情報を算出し、第２の記憶手段に格納する話題情報整理ステップと、
閲覧対象として入力された閲覧文書情報が含んでいる話題語句を前記第２の記憶手段から抽出し、該話題語句に関連する文書情報を、該閲覧文書情報に付与して表示する関連文書情報付与ステップと、
を行うことを特徴とする関連文書情報表示方法。
【請求項２】
前記関連文書情報付与ステップにおいて、
前記閲覧文書情報の作成時刻と構成語句を解析し、
前記話題情報整理ステップにおいて前記第２の記憶手段に格納された話題情報群と比較することにより、前記閲覧文書情報の話題語句を判別し、該話題語句に関連する情報のみを関連文書情報として該閲覧文書情報に付与する、
請求項１記載の関連文書情報表示方法。
【請求項３】
前記関連文書情報付与ステップの代わりに、
前記閲覧文書情報が予め与えられている作成時刻情報付き文書群が蓄積された文書情報データベースから選ばれるものとし、
前記文書情報データベース中の文書情報全てに対し、予め文書内容を解析し、関連文書情報を付与する文書データベース更新ステップと、
前記文書データベース更新ステップにおいて得られた関連文書情報が付与された文書情報データベースに対する検索条件を外部から取得し、該文書情報データベースを検索することにより得られた関連文書情報付き文書情報を表示するデータベース検索ステップと、
を行う請求項１記載の関連文書情報表示方法。
【請求項４】
閲覧対象となる文書情報を入力とし、該文書情報を解析することにより、該文書情報に含まれる話題に関連する文書を表示する関連文書表示プログラムであって、
記憶手段に、少なくとも、文書群中で話題となっている話題語句と、該話題語句の文書群中の出現頻度の時間的な変化である語句話題度、及び該話題語句を含む関連文書情報からなる話題語句情報を格納する第１の記憶手段と、話題語句と該話題語句が話題になっていた期間と該話題語句に関連する関連文書情報とから構成される話題情報を格納する第２の記憶手段とを備えるコンピュータに、
前記請求項１乃至３記載の方法を実現するための各ステップを実行させることを特徴とする関連文書表示プログラム。
【発明の詳細な説明】
【技術分野】
【０００１】
本発明は、関連文書表示方法及びプログラムに係り、特に、文書データベースに登録された複数の文書中から処理対象文書に関連する文書を表示する技術において、処理対象文書の作成時刻情報を用いて当該処理対象文書に含まれる話題語句を識別することにより、当該話題語句に関連する文書を、当該処理対象文書の関連文書として表示するための関連文書表示方法及びプログラムに関する。
【背景技術】
【０００２】
インターネットをはじめとした情報メディアの発達により、様々な種類の文書が蓄積され、閲覧されるようなった。その中には、作成時に話題になっていた出来事に対する感想を綴った日記文章の蓄積など、閲覧時に元となる話題の情報を知らなくては理解できない文書情報も多く含まれる。そのため、文書理解を補助する目的で、閲覧文書に関連する文書を検索し、表示する技術が提案されている。
【０００３】
その技術としては、キーワードとなる語句と当該語句に関連する文書とを蓄積したキーワード
データベースを作成し、当該データベースに含まれる語句が閲覧文書に含まれる際に、当該語句に関連する文書のリストへのハイパーリンクを表示するものがある（例えば、非特許文献１参照）。
【非特許文献１】http://d.hatena.ne.jp/help#keyword
【発明の開示】
【発明が解決しようとする課題】
【０００４】
しかしながら、上記従来の技術では、文書に含まれる語句が同じであったとしても、その語句が出現した時期が異なることにより扱っている話題の内容が異なることがあり得る。
【０００５】
例えば、同じ「横須賀市」という地名であっても、その場所で交通事故が起きた時期と芸能人のコンサートが行われた時期とでは、異なる話題を表す語句となる。従って、キーワードデータベースとのマッチングによる関連文書の提示を行う方法では、同じキーワードを用いた異なる話題を扱う文書が関連文書として表示されてしまう問題がある。
【０００６】
また、キーワードデータベースを人手で作成する必要があり、データベースが大規模になると運用が困難になる問題がある。
【０００７】
本発明は、上記の点に鑑みなされたもので、話題が発生している期間を限定した関連文書を表示することが可能な関連文書表示方法及びプログラムを提供することを目的とする。
【課題を解決するための手段】
【０００８】
図１は、本発明の原理を説明するための図である。
【０００９】
本発明（請求項１）は、閲覧対象となる文書情報を入力とし、該文書情報を解析することにより、該文書情報に含まれる話題に関連する文書を表示する関連文書表示方法であって、
外部から作成時刻情報を含む文書群が入力されると、該文書群を解析して、該文書群中で話題となっている話題語句と、該話題語句の文書群中の出現頻度の時間的な変化である語句話題度、及び該話題語句を含む関連文書情報からなる話題語句情報を取得し、第１の記憶手段に格納する話題抽出ステップ（ステップ１）と、
話題抽出ステップ（ステップ１）で得られた話題語句情報を時間軸に沿って整理し、話題となっている話題語句と該話題語句が話題になっていた期間と該話題語句に関連する関連文書情報とから構成される話題情報を算出し、第２の記憶手段に格納する話題情報整理ステップ（ステップ２）と、
閲覧対象として入力された閲覧文書情報が含んでいる話題語句を第２の記憶手段から抽出し、該話題語句に関連する文書情報を、該閲覧文書情報に付与して表示する関連文書情報付与ステップ（ステップ３）と、を行う。
【００１０】
また、本発明（請求項２）は、関連文書情報付与ステップ（ステップ３）において、
閲覧文書情報の作成時刻と構成語句を解析し、
話題情報整理ステップ（ステップ２）において第２の記憶手段に格納された話題情報群と比較することにより、閲覧文書情報の話題語句を判別し、該話題語句に関連する情報のみを関連文書情報として該閲覧文書情報に付与する。
【００１１】
また、本発明（請求項３）は、関連文書情報付与ステップ（ステップ３）の代わりに、
閲覧文書情報が予め与えられている作成時刻情報付き文書群が蓄積された文書情報データベースから選ばれるものとし、
文書情報データベース中の文書情報全てに対し、予め文書内容を解析し、関連文書情報を付与する文書データベース更新ステップと、
文書データベース更新ステップにおいて得られた関連文書情報が付与された文書情報データベースに対する検索条件を外部から取得し、該文書情報データベースを検索することにより得られた関連文書情報付き文書情報を表示するデータベース検索ステップと、
を行う。
【００１２】
本発明（請求項４）は、閲覧対象となる文書情報を入力とし、該文書情報を解析することにより、該文書情報に含まれる話題に関連する文書を表示する関連文書表示プログラムであって、
記憶手段に、少なくとも、文書群中で話題となっている話題語句と、該話題語句の文書群中の出現頻度の時間的な変化である語句話題度、及び該話題語句を含む関連文書情報からなる話題語句情報を格納する第１の記憶手段と、話題語句と該話題語句が話題になっていた期間と該話題語句に関連する関連文書情報とから構成される話題情報を格納する第２の記憶手段とを備えるコンピュータに、請求項１乃至３記載の方法を実現するための各ステップを実行させるプログラムである。
【発明の効果】
【００１３】
本発明によれば、話題となる語句と当該語句が話題となっていた期間と当該語句に関連する文書情報とによってなる話題情報が蓄積された話題情報データベースを自動的に作成することにより、ある時刻において作成された文書に対し、その文書が含む話題についての関連文書情報を抽出することが可能となる。特に、話題が発生している期間を限定して関連文書情報を付与するため、文書の作成当時に話題となっていなかったような重要度の低い関連情報が付与されることがなく、精度の高い関連情報の付与が可能になる。
【発明を実施するための最良の形態】
【００１４】
以下、図面と共に本発明の実施の形態を説明する。
【００１５】
［第１の実施の形態］
図２は、本発明の第１の実施の形態における関連情報付与装置の構成を示す。
【００１６】
同図に示す関連情報付与装置１００には、入力となる文書データを蓄積している文書データベース２１０と、出力となる関連情報付文書情報を表示する表示装置２３０が接続されている。
【００１７】
関連情報付与装置１００は、話題抽出部１１０、話題情報整理部１２０、話題情報データベース１３０、関連情報付与部１４０、表示画面生成部１５０から構成される。
【００１８】
関連情報付与装置１００は、ユーザから閲覧文書情報が入力されると、当該文書情報に関連する文書の情報を付加し、表示装置２３０に出力する。
【００１９】
文書データベース２１０には、作成時刻情報が付加された文書情報が蓄積され、随時更新されている。例えば、Ｗｅｂ上に公開されている文書に“2005 2/12 15:08”といったような作成時刻を付加し、次々と入力して記録することにより、当該データベースを構築することができる。例えば、インターネット上のニュースサイト等の新しい情報を含む文書が逐次更新される情報源から文書を入力するのが望ましい。この場合には、サイト内の文書の作成時刻だけでなく、更新情報を監視し、更新された時刻を文書作成時刻と見做し、新しく作成された文書と同様に収集してもよい。
【００２０】
話題情報データベース１３０には、図３に示すように、話題語句情報と、当該話題語句の話題の度合いを表す語句話題度情報と、当該話題語句が話題となっていた期間の開始時刻情報と終了時刻情報とからなる話題期間情報と、当該話題語句について書かれた関連文書情報とにより構成される話題情報が蓄積されている。また、話題情報データベース１３０には、当該データベースが最後に更新された最終更新時刻情報も記録されている。
【００２１】
図３に示す話題情報データベース１３０の例において、１番目に記載されている項目は、「空爆」という語句が“2005/02/14”から“2005/02/21”までの期間話題になっており、その間の語句話題度の最大値が0.322で、当該期間に当該語句について書かれた関連文書情報“itnl1.txt, itnl2.txt, itnl3.txt”とからなる話題情報を表している。図３中の「米フロリダ州」のように、同じ話題語句であっても話題になっていた時期が異なる場合は異なる話題情報として扱う。なお、語句話題度は、文書群中で語句の出現頻度の時間的な変化を数値化したものであり、頻度が増加すると大きく、頻度が減少すると小さくなる。例えば、１日に５回しか出現しなかった語句が、１日に３０回出現するようになると、その語句の語句話題度を高くするというものである。
【００２２】
以下に、文書情報付与装置における動作を説明する。
【００２３】
図４は、本発明の第１の実施の形態における動作のフローチャートである。
【００２４】
ステップ１１０）  話題抽出部１１０は、処理が開始されると、文書データベース２１０に蓄積されている文書を１文書ずつ読み出し、一般的な話題語句抽出技術（例えば、「文書の類似度と新鮮度に基づく話題語抽出」佐藤、川島、佐々木、大久保（ＮＴＴ）情報処理学会自然言語処理研究会発表資料、2005-NL-165, pp.29-55、２００５年１月１１〜１２日開催）による解析を行い、処理時刻での話題を表す話題語句と当該話題語句の語句話題度と当該話題語句を含み、語句話題度の値が高い関連文書情報とが組となった話題語句情報を抽出し、話題情報整理部１２０の話題語句バッファに蓄積する。
【００２５】
この一連の処理は終了信号が送られるまで、予め設定された時間毎に定期的に実行される。話題語句バッファに蓄積される話題データの例を図５に示す。
【００２６】
図５の例において、話題語句「空爆」の関連文書情報として蓄積されている文書情報を“itnl1.txt.itnl2.txt,itnl3.txt”と表している。
【００２７】
ステップ１２０）  話題情報整理部１２０は、話題抽出部１１０によって話題語句バッファに書き込まれた話題情報データから語句話題度が一定数以上のデータを選択し、時間的な連続性をもって整理し、話題情報データベース１３０に格納する。詳細な処理については後述する。
【００２８】
ステップ１３０）  ユーザから入力された作成時刻情報付きの閲覧文書情報が関連情報付与部１４０に入力される。
【００２９】
ステップ１４０）  関連情報付与部１４０は、関連文書情報に付与されている作成時刻情報の時間範囲に含まれる話題情報を話題情報データベース１３０から取得し、当該話題情報に含まれる話題語句と同じ語句が、入力された閲覧文書情報に含まれるか否かを判別し、話題語句を含む場合には、当該話題情報データベース１３０から取得した話題語句の関連文書の情報を入力された関連文書情報に付与して、表現画面生成部１５０の表示情報バッファに蓄積する。具体的な入力情報の例としては、作成時刻情報が記載されているウェブログ記事のＵＲＬ情報がある。詳細な処理については後述する。
【００３０】
ステップ１５０）  表示画面生成部１５０は、表示情報バッファに書き込まれている関連文書情報付閲覧文書情報を読み込み、閲覧文書情報の下部に、閲覧文書情報の含む話題語句と当該話題語句の関連文書のタイトル部分の一覧と当該関連文書へのハイパーリンクとを付加した表示画面情報を作成し、表示装置２３０に出力する。表示画面生成部１５０で生成された表示画面情報の例を図６に示す。
【００３１】
次に、上記のステップ１２０の話題情報整理部１２０の詳細な動作を説明する。
【００３２】
図７は、本発明の第１の形態における話題情報整理部の詳細な動作のフローチャートである。
【００３３】
ステップ１２１）  話題情報整理部１２０は、処理が開始されると、話題語句バッファから語句話題度が予め装置に設定された閾値以下の話題語句情報を消去する。当該閾値が０．２だとすると、図５に含まれる話題語句のうち、「空爆」から「撤退声明」までの話題語句情報は残され、その他の話題語句情報は消去されることとなる。
【００３４】
ステップ１２２）  話題語句バッファに話題語句情報が残っているかを確認し、話題語句情報が処理話題バッファに１つ以上含まれていればステップ１２３に移行し、話題語句バッファに話題語句情報が残っていなかったら、現在時刻を話題情報データベース１３０の最終更新時刻として当該データベース１３０に記録し、処理を終了する。
【００３５】
ステップ１２３）  話題語句バッファから話題語句情報を１つ取り出し、処理話題バッファに格納する。
【００３６】
ステップ１２４）  話題情報データベース１３０から、処理話題バッファに蓄積された話題語句情報の話題語句と同じ語句を持ち、かつ、終了時刻情報が当該話題情報データベースの最終更新時刻情報と同一となる話題情報を検索し、該当する話題情報があるかを確認する。該当する話題情報が得られなかった場合はステップ１２５に移行し、得られた場合はステップ１２６に移行する。
【００３７】
ステップ１２５）  新規の処理話題バッファ中の話題語句情報を新規の話題情報と判断し、当該話題語句情報の話題語句と関連文書情報と現在時刻が開始時刻と終了時刻とに設定されている話題期間情報とを組にした話題情報を話題情報データベース１３０に記録し、ステップ１２２に移行する。
【００３８】
ステップ１２６）  ステップ１２４において該当する話題情報が得られた場合は、処理話題バッファ中の話題語句情報は当該話題情報と連続していると判断し、当該話題情報の内容を更新し、ステップ１２２に移行する。
【００３９】
具体的には、当該話題情報の話題期間情報の終了時刻を処理時点の時刻に変更する。また、当該話題情報の語句話題度よりも処理話題バッファ中の話題語句情報の語句話題度の方が大きい場合は、語句話題度情報と関連文書情報とを処理話題バッファ中の話題語句情報のもつ語句話題度情報と関連文書情報との内容に書き換える。
【００４０】
上記のステップ１２４及びステップ１２６において、話題期間を取得する場合に、話題語句整理部１２０が、時刻Ｔ１，Ｔ２，…というタイミングで実行されているとき、時刻Ｔｎにおいて実行された際に、「空爆」という語句を話題情報データベース１３０に格納する場合、前回時刻Ｔｎ−１に実行した際にも「空爆」という話題語句を話題情報データベース１３０に格納していたならば、「空爆」という語句の話題期間はＴｎ−１からＴｎまで連続していたと判断する。
【００４１】
具体的には、ステップ１２４において、時刻Ｔｎの時点で「空爆」という語句を持つ話題情報を話題情報データベース１３０から検索して、“語句：空爆、話題期間：Ｔｎ−ｋ〜Ｔｎ−１”という情報が得られた場合、ステップ１２６では、「空爆」という語句は連続していると判断し、“語句：空爆、話題期間：Ｔｎ−ｋ〜Ｔｎ”という内容に更新する。
【００４２】
次に、上記のステップ１４０の関連情報付与部１４０の処理を詳細に説明する。
【００４３】
図８は、本発明の第１の実施の形態における詳細な動作のフローチャートである。
【００４４】
ステップ１４１）  関連情報付与部１４０は、閲覧文書情報が入力されると、当該閲覧文書情報に付加されている作成時刻情報を取得し、話題情報データベース１３０から当該作成時刻情報に対応する話題機関情報の時間範囲に含まれる話題情報を読み出す。
【００４５】
ステップ１４２）  話題情報データベース１３０から取得した全ての話題情報について、当該話題情報に含まれる話題語句と同じ語句が閲覧文書情報に含まれているかを確認する。閲覧文書情報に話題語句が含まれていた場合にはステップ１４３に移行し、含まれていない場合はステップ１４４に移行する。
【００４６】
ステップ１４３）  当該話題語句と組となっている話題情報データベース１３０の関連文書情報をそれぞれ閲覧文書情報に付与する。ここで、複数の話題語句が閲覧文書情報に含まれている場合には、各話題語句の関連文書情報をそれぞれ閲覧文書情報に付与するものとする。
【００４７】
ステップ１４４）  ステップ１４３において関連文書情報が付与された場合には、関連文書情報付閲覧文書情報を、また、ステップ１４２において閲覧文書情報に話題語が含まれていなかった場合は閲覧文書情報を、表示画面生成部１５０の表示情報バッファに書き込む。
【００４８】
［第２の実施の形態］
前述の第１の実施の形態では、文書データベース２１０に蓄積される文書情報と、ユーザが閲覧文書情報として入力する文書情報は異なるものであった。これに対し、入力となる閲覧文書情報が常に文書データベース中から選ばれる場合には、予め関連情報を付与した文書情報のデータベースを構築することが考えられる。
【００４９】
本実施の形態では関連情報が付与された文書データベースを想定した場合の例を説明する。
【００５０】
図９は、本発明の第２の実施の形態における関連文書情報付与装置の構成を示す。
【００５１】
同図に示す関連文書情報付与装置３００は、出力となる関連情報付文書情報を表示する表示装置４１０が接続されている。
【００５２】
関連文書情報付与装置３００は、文書データベース３１０、話題抽出部３２０、話題情報整理部３３０、話題情報データベース３４０、文書データベース更新部３５０、データベース検索部３６０、表示画面生成部３７０、から構成され、ユーザからの検索条件が入力として与えられると、検索条件を元に文書データベース３１０から関連情報が既に付与された文書情報を取得し、表示装置４１０にその結果を表示する。
【００５３】
文書データベース３１０は、図１０に示すように、作成時刻情報と関連話題語句情報と関連文書情報とが付与された文書情報群を蓄積する。文書データベース３１０は、前述の第１の実施の形態における文書データベース２１０と同様に、作成時刻付の文書情報を入力として受け付け、順次蓄積していく。
【００５４】
図９に示す話題抽出部３２０、話題情報蓄積部３３０、話題情報データベース３４０は、前述の第１の実施の形態における話題抽出部１１０、話題情報整理部１２０、話題情報データベース１３０と同様の処理を行う。従って、話題情報データベース３４０には、図３と同様の内容が蓄積される。
【００５５】
文書データベース更新部３５０は、話題情報データベース３４０の話題情報を参照し、文書データベース３１０に蓄積された文書情報群に関連話題語句情報と関連文書情報を付与し更新する。
【００５６】
図１１は、本発明の第２の実施の形態における動作のフローチャートである。
【００５７】
ステップ３１０）  話題抽出部３２０は、処理が開始されると、文書データベース４１０に蓄積されている文書を１文書ずつ読み出し、一般的な話題語句抽出技術による解析を行い、処理時刻での話題を表す話題語句と当該話題語句の語句話題度と当該話題語句を含み、語句話題度の値が高い関連文書情報とが組となった話題語句情報を抽出し、話題情報蓄積部３３０の話題語句バッファに蓄積する。
【００５８】
この一連の処理は終了信号が送られるまで、予め設定された時間毎に定期的に実行される。
【００５９】
ステップ３２０）  話題情報蓄積部３３０は、話題抽出部３１０によって話題語句バッファに書き込まれた話題情報データから語句話題度が一定数以上のデータを選択し、時間的な連続性をもって整理し、話題情報データベース３４０に格納する。話題情報データベース３４０の構成は、前述の第１の実施の形態における図３の構成と同様である。
【００６０】
ステップ３３０）  文書データベース更新部３５０は、話題情報データベース３４０を参照して、文書ＤＢ３１０の文書情報群に話題情報データベース３４０の話題語句情報（話題語句、語句話題度、話題期間）と、関連文書情報を付与し、文書データベース３１０を更新する。
【００６１】
ステップ３４０）  データベース検索部３６０にユーザから検索条件が入力される。ここで検索条件は、例えば、ユーザが検索したい語句であるものとする。
【００６２】
ステップ３５０）  データベース検索部３６０は、入力された検索条件に基づいて、文書データベース３１０を検索し、検索された文書情報を表示情報バッファに蓄積する。
【００６３】
ステップ３６０）  表示画面生成部３７０において、表示情報バッファに蓄積されている関連文書付文書情報を読み込み、表示画面情報を作成し、表示装置４１０に出力する。
【００６４】
次に、上記のステップ３３０の文書データベース更新部３５０の処理を詳細に説明する。
【００６５】
図１２は、本発明の第２の実施の形態における文書データベース更新部の詳細な動作のフローチャートである。
【００６６】
ステップ３３１）  文書データベース更新部３５０は、予め設定された一定時間ごとに動作を開始する。処理が開始されると、話題情報データベース３４０にアクセスし、前回の処理開始時刻以降に更新または追加された話題情報を取得する。取得した話題情報群は、取得話題情報バッファに記録される。
【００６７】
ステップ３３２）  取得話題情報バッファに未処理のデータがあるかを確認し、未処理のデータがある場合には、ステップ３３３に移行し、ない場合にはステップ３３０の処理を終了する。
【００６８】
ステップ３３３）  未処理のデータがある場合には、取得話題情報バッファからデータを一つ取り出し、当該データを処理話題バッファに移動する。
【００６９】
ステップ３３４）  文書データベース３１０から処理話題バッファ中の話題情報の話題期間内に作成時刻が含まれる文書情報を取得する。
【００７０】
ステップ３３５）  取得した文書情報から、処理話題バッファ中の話題情報の話題語句を含む文書情報を選択し、当該文書情報の関連話題語句情報と関連文書情報とに、話題処理バッファ中の話題情報の話題語句情報とを追加し、文書データベース３１０を更新する。更新処理が終了したら、ステップ３３２に移行する。
【００７１】
なお、上記の第１の実施の形態及び第２の実施の形態における動作をプログラムとして構築し、記憶手段に文書データベース、話題情報データベースを有するコンピュータに実行させる、または、ネットワークを介して流通させることも可能である。
【００７２】
なお、本発明は、上記の実施の形態に限定されることなく、特許請求の範囲内において種々変更・応用が可能である。
【産業上の利用可能性】
【００７３】
本発明は、データベースに登録されている文書から処理対象文書に関連する文書を出力する技術に適用可能である。
【図面の簡単な説明】
【００７４】
【図１】本発明の原理を説明するための図である。
【図２】本発明の第１の実施の形態における関連文書情報付与装置の構成図である。
【図３】本発明の第１の実施の形態における話題情報データベースの例である。
【図４】本発明の第１の実施の形態における動作のフローチャートである。
【図５】本発明の第１の実施の形態における話題抽出部の出力例である。
【図６】本発明の第１の実施の形態における出力画面の例である。
【図７】本発明の第１の実施の形態における話題語句整理部の詳細な動作のフローチャートである。
【図８】本発明の第１の実施の形態における関連情報付与部の詳細な動作のフローチャートである。
【図９】本発明の第２の実施の形態における関連文書情報付与装置の構成図である。
【図１０】本発明の第２の実施の形態における文書データベースの例である。
【図１１】本発明の第２の実施の形態における動作のフローチャートである。
【図１２】本発明の第２の実施の形態における文書データベース更新部の詳細な動作のフローチャートである。
【符号の説明】
【００７５】
１００  関連文書情報付与装置
１１０  話題抽出部
１２０  話題情報整理部
１３０  話題情報データベース
１４０  関連情報付与部
１５０  表示画面生成部
２１０  時刻付き文書データベース
２３０  表示装置
３００  関連文書情報付与装置
３１０  文書データベース
３２０  話題抽出部
３３０  話題情報蓄積部
３４０  話題情報データベース
３５０  文書データベース更新部
３６０  データベース検索部
３７０  表示画面生成部
４１０  表示装置
【図１】
2006302024.tif 000003
【図２】
2006302024.tif 000004
【図３】
2006302024.tif 000005
【図４】
2006302024.tif 000006
【図５】
2006302024.tif 000007
【図６】
2006302024.tif 000008
【図７】
2006302024.tif 000009
【図８】
2006302024.tif 000010
【図９】
2006302024.tif 000011
【図１０】
2006302024.tif 000012
【図１１】
2006302024.tif 000013
【図１２】
2006302024.tif 000014